(57)【要約】【課題】生産性に優れ、強度が強くない樹脂であっても肉薄で成形することが可能であり、衝撃に強い構造であるロール支持部材を提供すること。【解決手段】巻芯に巻かれたロール状記録材料を包装箱中に宙づりにするために使用するロール支持部材であって、４つの角を落とした正方形の、厚みを有するフランジ部、及びフランジ部の略中央に巻芯の一端に嵌入する円筒状に突き出した嵌入部を有し、フランジ部及び嵌入部は一体に成形され、フランジ部の嵌入部が突き出した側が平坦面であり、フランジ部の平坦面とは反対の面は複数のエネルギー吸収空間部を形成するリブが設けられ、フランジ部の外周面の高さが該リブの高さ以下であることを特徴とするロール支持部材。【選択図】  図２
2004210304.tif 000002
【特許請求の範囲】
【請求項１】
巻芯に巻かれたロール状記録材料を包装箱中に宙づりにするために使用するロール支持部材であって、
４つの角を落とした正方形の、厚みを有するフランジ部、及びフランジ部の略中央に巻芯の一端に嵌入する円筒状に突き出した嵌入部を有し、
フランジ部及び嵌入部は一体に成形され、
フランジ部の嵌入部が突き出した側が平坦面であり、フランジ部の平坦面とは反対の面は複数のエネルギー吸収空間部を形成するリブが設けられ、
フランジ部の外周面の高さが該リブの高さ以下であることを特徴とするロール支持部材。
【請求項２】
嵌入部が中空内部を形成し、中空内部に嵌入部と略同心筒状に配設されたリブ、及び該略同心筒状リブと嵌入部の中空内部側の面を連結するよう配設された放射状リブを有する請求項１記載のロール支持部材。
【請求項３】
巻芯に巻かれたロール状記録材料を包装箱中に宙づりにするために使用するロール支持部材であって、
４つの角を落とした正方形の、厚みを有するフランジ部、及びフランジ部の中央に巻芯の一端に嵌入する円筒状に突き出し先端の開放された嵌入部を有し、
フランジ部及び嵌入部は一体に成形され、
フランジ部の嵌入部が突き出した側が平坦面であり、フランジ部の平坦面とは反対の面は複数のエネルギー吸収空間部を形成するリブが設けられ、
フランジ部の外周面の高さが該リブの高さ以下であり、
嵌入部の内部にフランジ部と平行に設けられた壁を有し、
嵌入部の先端に切り欠きを有し、
嵌入部及び壁が中空内部を形成し、中空内部に嵌入部と略同心筒状に配設されたリブ、及び該略同心筒状リブと嵌入部の中空内部側の面を連結するよう配設された放射状リブを有し、
該放射状リブはロール支持部材を重ね合わせたときに、嵌入部の先端の切り欠きと係合するように設けられ、
フランジ部の平坦面と反対の面に、ロール支持部材を重ね合わせたときに嵌入部と嵌合する、フランジ部の中心に対して偏心した長円のリブを有し、
フランジ部の、偏芯長円リブとの関係において決められた位置に穴が開いていることを特徴とするロール支持部材。
【請求項４】
リブが切り欠きを有する請求項１〜３いずれか１つに記載のロール支持部材。
【請求項５】
請求項１〜４いずれか１つに記載のロール支持部材によって、ロール状記録材料を直方体の収納容器中に宙づりに支持し収納した記録材料包装体。
【発明の詳細な説明】
【０００１】
【発明の属する技術分野】
本発明は、ロール状記録材料を収納箱中に宙づりに包装するためのロール支持部材に関し、さらに、このロール支持部材を用いた記録材料包装体に関する。
【０００２】
【従来の技術】
一般に、ロール状記録材料は、ロール支持部材に支持されて宙吊り状態で収納容器に収納された包装体として保管、輸送されることが多い。感光性の記録材料の場合には、この記録材料を遮光性のフランジ及び遮光性のリーダーにより覆うことにより完全に遮光した後に収納容器に収納される。感光性、又は非感光性を問わず、ロール状記録材料を緩衝材に収納箱中で緩衝材に宙づりに固定するためのロール支持部材としては、円筒状軸及びフランジ部の２つの部材から構成されたものが用いられており、円筒状軸をフランジ部の穴部を通して更にロール状記録材料を卷回した巻芯両端に挿入することによって、ロール状記録材料を収納箱中に宙づりに支持している。
しかし、上記の円筒状軸の端にフランジ部を有する構造は、収納容器を落下した時などに受ける衝撃に弱いという問題がある。そのため、ロール支持部材の材料にはポリエチレンなどの変形に強い熱可塑性樹脂を比較的太くした成形品が用いられてきた。しかし、肉厚の成形品には、材料使用量が多い、成形時の冷却時間が長いなどの欠点がある。また、円筒状軸及びフランジ部の２つの部材から構成されるロール支持部材は、製造コストも高い。
【０００３】
また、ロール状記録材料を支持する円筒軸及びフランジ部が一体成形されたロール支持部材が開示されている（特許文献１、２及び３参照。）。しかしながら、落下衝撃に対する強度が不十分であり改善が望まれている。
【０００４】
【特許文献１】
特開平１１−３２７０８９号公報
【特許文献２】
特開平７−３３００３２号公報
【特許文献３】
特開２００２−２４４２４９号公報
【０００５】
【発明が解決しようとする課題】
本発明が解決しようとする課題は、生産性に優れ、強度が強くない樹脂であっても肉薄で成形することが可能であり、衝撃に強い構造であるロール支持部材を提供することである。また、生産機械で自動読み取りを行うことができる情報をロール支持部材に持たせることにより、多品種生産において品種判別等の自動化を可能とするロール支持部材を提供することである。さらに、このようなロール支持部材を用いることにより、ロール状記録材料が変形を受けにくく、多品種生産に適応した記録材料包装体を提供することである。
【０００６】
【課題を解決するための手段】
本発明の課題は、以下の手段により解決された。
（１）  巻芯に巻かれたロール状記録材料を包装箱中に宙づりにするために使用するロール支持部材であって、４つの角を落とした正方形の、厚みを有するフランジ部、及びフランジ部の略中央に巻芯の一端に嵌入する円筒状に突き出した嵌入部を有し、フランジ部及び嵌入部は一体に成形され、フランジ部の嵌入部が突き出した側が平坦面であり、フランジ部の平坦面とは反対の面は複数のエネルギー吸収空間部を形成するリブが設けられ、フランジ部の外周面の高さが該リブの高さ以下であることを特徴とするロール支持部材、
（２）  嵌入部が中空内部を形成し、中空内部に嵌入部と略同心筒状に配設されたリブ、及び該略同心筒状リブと嵌入部の中空内部側の面を連結するよう配設された放射状リブを有する（１）記載のロール支持部材、
（３）  巻芯に巻かれたロール状記録材料を包装箱中に宙づりにするために使用するロール支持部材であって、４つの角を落とした正方形の、厚みを有するフランジ部、及びフランジ部の中央に巻芯の一端に嵌入する円筒状に突き出し先端の開放された嵌入部を有し、フランジ部及び嵌入部は一体に成形され、フランジ部の嵌入部が突き出した側が平坦面であり、フランジ部の平坦面とは反対の面は複数のエネルギー吸収空間部を形成するリブが設けられ、フランジ部の外周面の高さが該リブの高さ以下であり、嵌入部の内部にフランジ部と平行に設けられた壁を有し、嵌入部の先端に切り欠きを有し、嵌入部及び壁が中空内部を形成し、中空内部に嵌入部と略同心筒状に配設されたリブ、及び該略同心筒状リブと嵌入部の中空内部側の面を連結するよう配設された放射状リブを有し、該放射状リブはロール支持部材を重ね合わせたときに、嵌入部の先端の切り欠きと係合するように設けられ、フランジ部の平坦面と反対の面に、ロール支持部材を重ね合わせたときに嵌入部と嵌合する、フランジ部の中心に対して偏心した長円のリブを有し、フランジ部の、偏芯長円リブとの関係において決められた位置に穴が開いていることを特徴とするロール支持部材、
（４）  リブが切り欠きを有する（１）〜（３）いずれか１つに記載のロール支持部材、
（５）  （１）〜（４）いずれか１つに記載のロール支持部材によって、ロール状記録材料を直方体の収納容器中に宙づりに支持し収納した記録材料包装体。
【０００７】
【発明の実施の形態】
以下に、図１〜６を参照しながら本発明の実施の形態について説明するが、本発明はこれに限定されない。
【０００８】
図１は本発明の一実施態様としてのロール支持部材を両端に装着したロール状記録材料を外箱に収納する時の各部材の概略斜視図を示す。図１において、１は遮光性リーダー１４及び遮光性フランジ１５により包装されたロール状感光材料を示し、２は中空円筒状の巻芯を示す。３は好ましくは射出成形により作製した、ロール状記録材料の両端に嵌入する嵌入部及びフランジ部よりなるロール支持部材を示す。７はロール状記録材料１を収納する収納容器（外箱）を示す。ロール状記録材料１はロール支持部材３によって宙づりに支持され、直方体の外箱７に収納されている。
【０００９】
本発明におけるロール状記録材料とは、広幅長尺の記録材料を巻芯にロール状に巻取った状態の記録材料を指している。広幅長尺の感光材料とは、例えば、一般的には幅が１５２ｍｍ、６１０ｍｍ、８６４ｍｍ、１２１３ｍｍ等で長さが約３０〜１３０ｍである記録材料を指す。勿論、これ以上の幅と長さであってもかまわない。本発明におけるロール状記録材料とは特に限定するものではなく、プリント、印刷、複写等に使用される、感光材料、カラーコピー用受像紙等全ての画像記録材料に用いることができる。感光材料としては銀塩感光材料（熱現像感光材料を含む）に限らず、各種感光材料のフィルム、印画紙等全てを対象とすることができる。
【００１０】
図２及び図３は一実施態様としてのフランジ部５のエネルギー吸収空間部を形成するリブが構成された、平坦面６ａとは反対の面６ｂを示す。フランジ部５は４つの角を落とした正方形の板６、外周面５ａ、後述するリブにより構成されている。図４は嵌入部４、及び嵌入部が突き出した側の一実施態様としてのフランジ部の平坦面６ａを示す。
ロール支持部材３のフランジ部５は、ロール支持部材３が嵌入されたロール状の記録材料１を収納する外箱７を最小限の大きさにすることから、正方形を基本とする形状であることが好ましく、本発明においては４つの角を落とした正方形である。４つの角を落とした正方形であれば、いずれの形状であっても良いが、具体的には、略八角形の形状、正八角形の形状、図２に示される八角形の形状の隣り合わない４辺を八角形の中心部に向って凹状に湾曲させた形状等を挙げることができる。いずれの形状においても、板６の外周においては角が丸みを帯びていることが好ましく、具体的には八角形の形状の場合隣合う２辺により構成される角が丸みを帯びていることが好ましい。
【００１１】
４つの角を落とした正方形のフランジ部５の大きさは、巻芯２に巻く記録材料の長さに合わせ適宜変更することが可能である。図５に示す正方形の向かい合う２辺の距離Ｗは、好ましくは１２０〜１９０ｍｍである。
【００１２】
図４において、４はフランジ部５の平坦面６ａに、フランジ部５に一体的に取り付けられている円筒状の嵌入部を示し、５ａは外周面を示す。フランジ部５の先端は、閉じられていても良く、開放されていても良い。図４のロール支持部材は、本発明の一例として先端の閉じられたフランジ部を有している。ロール状記録材料１の両端の巻芯２の中空部に嵌入部４を嵌入し、嵌入部の外周面４ａと巻芯２の内周面とを密着することで、輸送時の振動、落下に伴う、包装体の外部からの押圧、巻芯の変形等を防止することができる。
【００１３】
図５は図２のＡ−Ａ’に沿った概略断面の斜視図であり、図６は図２のＡ−Ａ’に沿った概略断面図である。図５及び図６中、４ｂは嵌入部４の巻芯２の中空部への嵌入を容易にするため及び破損を防止するため、嵌入部４の先端部の周縁部において角を落としている状態を示す。４ｂの長さは１〜６ｍｍが望ましい。１ｍｍ未満では巻芯の中空部への嵌入がし難く、６ｍｍを越えた場合は、巻芯２の内周部に密着する円筒部が短くなり、密着が不安定となり好ましくない。４ｂと嵌入部の先端部４ｃから構成される角、及び４ｂと嵌入部の外周面４ａから構成される角は丸みを帯びていることが好ましい。
【００１４】
５ａはフランジ部５を構成する板６の各辺から嵌入部４が形成されている方向と反対方向に立ち上がらせた外周面を示し、外周面５ａと板６は一体的に形成されている。外周面５ａと板６から構成される角は丸みを帯びていることが好ましい。
【００１５】
１９は、嵌入部４及びフランジ部を構成する板６とが交わる部分に、嵌入部４に沿って設けられた窪みである。窪み１９の断面は適宜曲率を有する半円形であることが好ましく、窪みの断面の曲率半径ｒは１〜１０ｍｍであることが好ましい。記録材料包装体が落下した際に、ロール支持部材３においてフランジ部５と嵌入部４の境目の部分での破損を防ぐため、窪み１９を設けることが好ましい。また、窪み１９とフランジ部５の平坦面６ａから構成される角は丸みを帯びていることが好ましい。窪み１９の内部には、窪み１９と一体に形成されたリブ２０を有する。
【００１６】
８はフランジ部を構成する板６の平坦面６ａとは反対の面６ｂに、板６と一体的に設けられたリブを示す。リブ８は、嵌入部４と同心で、嵌入部４の外周面４ａと遊合する内周面を有する円筒状のリブである。８ａは円筒状のリブ８の内周面を示す。
リブ８の外周には、リブ８ｂが設けられていることが好ましい。リブ８ｂは、リブ８を中心として放射状に設けられ、リブ８及び板６と一体に形成されている。
【００１７】
嵌入部４は、中空内部４ｄを形成している。中空内部４ｄには、嵌入部４と略同心筒状（同軸）に配設されたリブ１６、及び略同心筒状リブ１６と嵌入部４を連結するよう配設された放射状リブ１７を有することが好ましい。記録材料包装体が落下した際に、嵌入部４の破損を防ぐため、略同心筒状リブ１６及び放射状リブ１７を設けることが好ましい。リブ１６及び１７は、リブ８及び嵌入部４と一体に成形されている。
さらに、中空内部４ｄには、嵌入部４の中空内部側の面にリブ１７ａが設けられていることが好ましい。リブ１７ａは嵌入部４と一体に成形されている。
【００１８】
リブ１６及びリブ１７の高さは、リブ８の高さと同一であっても良いが、嵌入部４を嵌合させ、ロール支持部材３を重ね合わせて保存するときに重なり量を増やすためリブ８の高さより低くても良い。
【００１９】
Ｕはリブ８の内径を示し、嵌入部４の外径Ｖより０．１〜１．０％大きいことが好ましく、より好ましくは０．２〜０．５％である。０．１％未満では嵌入部４が遊合状態で重ね合わせることが困難となり、嵌入部の外周面４ａに傷が付きやすくなり、１．０％を越えた場合は、重ね合わせ箱に収納し返却する時に、輸送時の振動、取り扱い等で、円筒状凸部の外周面と空洞部の内面がぶつかり、円筒状凸部の外周面に傷が付きやすくなり、再利用ができなくなり好ましくない。
【００２０】
Ｖは嵌入部４の外径を示す。外径Ｖは嵌入部４の先端周縁部の角を落としている部分４ｂ、及び嵌入部４とフランジ部５が交わる部分に窪み１９を設けている部分を除き、嵌入部全体にわたり同じである。外径Ｖは包装体を作製するときに使用する巻芯２の内径により異なるが、巻芯２の内径より０．１〜３ｍｍの範囲で小さいことが望ましい。０．１ｍｍ未満の場合は巻芯の中空部に嵌入部４を嵌入し難くなる。
【００２１】
９はフランジ部を構成する板６の平坦面６ａとは反対の面６ｂに、板６と一体的に設けられた嵌入部４と同心である円筒状のリブを示す。円筒状のリブ９は、外周面５ａと円筒状のリブ８の間に設けられている。
【００２２】
１０は円筒状のリブ８と外周面５ａを連結するように、リブ１６を中心に放射状に配設されたリブを示し、該リブはフランジ部を構成する板６、円筒状のリブ８、円筒状のリブ９及び外周面５ａと一体的に設けられている。
【００２３】
１１は、リブ８と外周面５ａの間に設けられた円筒状のリブを示す。円筒状リブ１１によって囲まれた、フランジ部の平坦面６ａとは反対の面６ｂは円形であり、該円形面１８に吸着パットを吸着させることが可能となる。つまり、吸着パットを用いてのロール支持部材３のハンドリングが可能となり、記録材料包装体の作成時において作業性の優れたものとなる。
また、１２は、フランジ部５を構成する八角形の形状の板６の湾曲した辺に沿うように設けられたリブを示す。さらに、１３に示すように外周面５ａと円筒状リブ１１との間に複数のリブを設けても良い。リブ１１〜１３は、フランジ部を構成する板６、及びリブ１１〜１３と交わる他のリブと一体に形成されている。
本発明においては、さらに上記以外の複数のリブを設けても良い。
【００２４】
このように多数のリブを設けることにより、フランジ部５は、外周面５ａ、リブ１２及び板６から構成される第１のエネルギー吸収空間部２３、リブ１２、リブ９及び板６から構成される第２のエネルギー吸収空間部２４、並びに、リブ９、リブ８及び板６から構成される第３のエネルギー吸収空間部２５を有するものとなる。
また、本発明の他の実施態様においては、第１のエネルギー吸収空間部、第２のエネルギー吸収空間部及び第３のエネルギー吸収空間部は、リブ８を中心に同心円状に設けられていても良い。さらに、本発明の他の実施態様においては、第４、第５等のさらに多くのエネルギー吸収空間部を有していても良い。
【００２５】
この第１のエネルギー吸収空間部２３は嵌入部４の基礎可撓性を制御する。エネルギー吸収空間部２３のサイズは、リブ９の位置によってコントロールされ、その可撓性を決定することとなる。もし、リブ９の径が大きすぎると、第１のエネルギー吸収空間部２３が大きすぎて柔軟になり過ぎ、嵌入部４が荷重によって過剰に曲げられ、側方または底面からの衝撃を受けたときに、ロール状記録材料１が外箱７の側壁部と接触してしまう場合がある。ロール状記録材料１が衝撃を受けて外箱７の側面に接触すると、ロール状記録材料１には直ちにその反衝撃力（反力）が生じ、この反力が、巻芯２に永久的な変形を与える原因となることもある。本発明において、板６の可撓性に影響を及ぼすその他の要因としては、この板６の断面厚み、および、板６を構成する材料の動的弾性率等がある。
【００２６】
第２および第３のエネルギー吸収空間２４、２５は、複数のリブ１０、１１、１３によって仕切られている。複数のリブ１０、１１、１３は外周面５ａからのエネルギーを吸収する機能を持つ。これら複数のリブ１０、１１、１３は、過剰な衝撃を受けたときに曲がることによりエネルギーを消滅（吸収）するよう設計されている。これら複数のリブ１０、１１、１３の剛性が高すぎれば、外箱７からの歪みエネルギーが全て第１のエネルギー吸収空間２３に伝達されてしまうことになる。逆に、これら複数のリブ１０、１１、１３の剛性が低すぎれば、これら複数のリブ１０、１１、１３は、極めて軽い衝撃荷重によっても外周面５ａを内側に引き込むように曲がってしまう。また、板６が割れてしまう恐れもある。
【００２７】
第１、第２及び第３のエネルギー吸収空間部２３、２４、２５は嵌入部４を中心に、順次配設されており、これにより、フランジ部５の外周面５ａから加わったほとんど全ての衝撃が、第３、第２および第１のエネルギー吸収空間部２５、２４、２３によって順次吸収されることとなる。
【００２８】
また、嵌入部４は、リブ１６、１７及び嵌入部４から構成されるエネルギー吸収空間部２６、２７を有する。上述のフランジ部５と同様に、嵌入部４においても、エネルギー吸収空間部２６、２７が落下時等の衝撃の大部分を吸収することにより、ロール支持部材３の破損を防止している。
【００２９】
本発明において、リブ９、１２、１３等の高さＨ１は５〜４０ｍｍが好ましく、より好ましくは８〜２５ｍｍである。５ｍｍ未満では強度的に弱くなり、４０ｍｍを越えた場合は、コストが上がり好ましくない。本発明においては、外周面５ａの高さＨ２はリブの高さＨ１以下の高さである。つまり、外周面の高さＨ２はリブの高さＨ１と同一か、又は外周面の高さＨ２はリブの高さＨ１より小さい。外周面５ａの高さＨ２とリブ９、１２、１３等の高さＨ１が同等（９６〜１００％）の場合は、外周面５ａとリブ９、１２、１３等が交差する個所において、切欠きを有していることが好ましい。外周面の高さＨ２はリブの高さＨ１の５０〜９５％であることが好ましく、６０〜９０％であることがより好ましい。外周面５ａよりリブが高い場合、フランジ部５のリブ側面に斜め方向から落下した際、外周面５ａより先に外箱７やリブが衝撃を受け、外箱７やリブが変形することで衝撃を吸収することにより外周面５ａの破損を防ぐことができるため好ましい。
【００３０】
リブとリブが交差する個所において、切欠き２１を有していることが好ましい。Ｔは、切欠きの深さを示し、深さＴはリブの高さの１０〜１００％が好ましい。切欠きは、リブとリブが交差する個所であれば、いずれの個所に設けることも可能であるが、フランジ部５の外周部に設けることが好ましい。具体的には、リブ１０とリブ１２が交差する点、リブ１１とリブ１３が交差する点等である。切欠き部分でリブが割れることにより、落下等の際にフランジ部５の第３のエネルギー吸収空間部２５に加わった衝撃が、第２のエネルギー吸収空間部２４に伝わることなく消滅するのである。切欠きを設けリブが割れ易くすることは、フランジ部３を構成する板６、嵌入部４等を破損させることなくロール支持部材３の形状を維持する上で好ましい。
【００３１】
また、切欠きは、嵌入部の先端部４ｃの外周に設けることもできる。切欠きはリブ１７と係合させることができる個所に設けることが好ましい。切欠きを設けることにより、ロール支持部材３を重ね合わせて保管する際に、重ね合わせの位置決めが容易となり、スタック性の向上に効果的である。
【００３２】
本発明において、フランジ部を構成する板６、外周面５ａ、リブの厚みは０．５〜３．０ｍｍであることが好ましい。また、嵌入部を構成する材料の厚みは０．５〜３．０ｍｍであることが好ましい。本発明の耐衝撃性に優れたロール支持部材は、上記の薄い材料で構成された場合でも破損し難い。
【００３３】
以下に、図７〜１３を参照しながら本発明の他の実施の形態について説明する。
図７〜図９は一実施態様としてのフランジ部３５のリブが構成された、平坦面６ａとは反対の面６ｂを示す。フランジ部３５は４つの角を落とした正方形の板３６、外周面３５ａ、後述するリブにより構成されている。図１０は嵌入部４、及び嵌入部が突き出した側の一実施態様としてのフランジ部の平坦面６ａを示す。
【００３４】
図１０において、３４は先端が開放された、内部にフランジ部と平行に設けられた壁３４ｅを有する円筒状の嵌入部を示す。嵌入部３４は、フランジ部３５の平坦面３６ａに、フランジ部３５に一体的に取り付けられている。３５ａは外周面を示す。嵌入部３４の先端には、切り欠き３４ｆが設けられている。
【００３５】
図１１は図９のＢ−Ｂ’に沿った概略断面の斜視図であり、図１２は図９のＢ−Ｂ’に沿った概略断面図である。３８はフランジ部を構成する板３６の平坦面３６ａとは反対の面３６ｂに、板３６と一体的に設けられたリブを示す。リブ３８は長円で、フランジ部３４の中心に対して偏心している。また、ロール支持部材を積み重ねることができるように、嵌入部３４の外周面とリブ３８の内周面とは係合可能な関係を有している。
【００３６】
嵌入部３４及び壁が中空内部３４ｄを形成している。中空内部３４ｄには、嵌入部３４と略同心筒状に配設されたリブ４６、及び略同心筒状リブ４６と嵌入部３４を連結するよう配設された放射状リブ４７を有することが好ましい。
【００３７】
嵌入部３４先端の切り欠き３４ｆはリブ４７に対応した位置に設けてあり、ロール支持部材３を重ね合わせて保管する際に、重ね合わせの位置決めが容易となり、スタック性の向上に効果的である。図１３は、本発明の一実施態様としてのロール支持部材を重ね合わせた際の概略斜視図である。
【００３８】
フランジ部５の平面には、偏心リブ３８との関係において、あらかじめ決められた位置に穴３６ｃが開けられている。穴３６ｃの数は特に制限がなく、必要に応じて１つであってよく、２つ以上であってもよい。例えば１つの穴の有り無しによって２種類の品種、２つの穴の有り無しによって４種類の品種に対応でき、品種情報を付加することができる。ロール支持部材の形状がわずかしか違わない品種違いの形状に対し、容易に品種を判別することが可能である。
【００３９】
本発明のロール支持部材は、嵌入部３４の先端の切り欠き３４ｆとリブ４７のかみ合わせによって、精度よく同心状に積み重ねることが可能である。フランジ部３５の穴３６ｃはリブ３８の長円に対し、あらかじめ決められた関係に位置している。よって、積み重ねた一番上のフランジ部３５の側面からリブ３８の長円の長手方向を検知してフランジ部３５の穴３６ｃを検出することが容易にできる。例えば、画像検査装置で長円の長手方向を検知した後に、フランジ部３５の穴３６ｃの位置を検出することにより、自動で情報を読み取ることができる。また、リブ３８の長円にあった治具をあてがい、長手方向を検知した後にフランジ部３５の穴３６ａを検出することも可能である。
【００４０】
なお、本発明の一実施態様として図７〜図１３に示すロール支持部材においては、図２〜６に示すロール支持部材と同様に、フランジ部の平坦面とは反対の面に複数のリブを設け、複数のエネルギー吸収空間部を形成することも可能である。また、それらのリブに切り欠きを設けることも可能である。さらに、嵌入部に沿って窪みを設ける等してもよい。フランジ部の大きさ、嵌入部の外径等についても図２〜６に示すロール支持部材と同様に規定することができる。
【００４１】
本発明のロール支持部材は、フランジ部が４つの角を落とした正方形であり、また、フランジ部の外周面の高さがリブの高さと同一か、好ましくは小さくできている。したがって、記録材料包装体が外箱の角や稜で衝撃を受ける状態で落下する場合においても、ロール支持部材が外箱の角や稜を避けて配置されていることから、まず外箱やリブが衝撃を吸収するため、ロール支持部材が破損し難い構成となっている。また、本発明のロール支持部材は、フランジ部の嵌入部が突き出した側とは反対の面に、衝撃を吸収する多数のリブが設けられており、さらに、嵌入部の中空内部にもリブが設けられていることから、強度の弱い材料であっても落下衝撃に耐えることができる。
さらに、本発明のロール支持部材は、フランジ部と嵌入部が一体成形されているため、成形性に優れている。
加えて、フランジ部の一定の位置に、生産機械で自動読み取りを行うことができる穴を有することにより、多品種生産において品種判別等の自動化を可能とするロール支持部材を提供することが可能となる。
【００４２】
本発明のロール支持部材の材料としては、特に制限されないが、ＰＥ、ＰＰ、ＰＳ等の熱可塑性樹脂、生分解性樹脂、紙及び熱可塑性樹脂の混合物（本発明において紙成分を５１質量％以上混合したものを「紙樹脂」ともいう）、木材などを用いることができる。
【００４３】
紙樹脂は、紙と樹脂との混合物であって、紙樹脂は、質量比で、古紙等の紙成分を５１％以上、樹脂成分を４９％以下の割合で混合した組成物であり、紙同様にして廃棄できるため、ロール状支持部材の材料として好ましく、又、巻芯や緩衝材に使用することもできる。この場合、紙樹脂による成形品は、包装材料の紙成分と同様に廃棄することができるので、廃棄の際の分別が不要となる。本発明のロール支持部材に用いる紙樹脂としては、紙成分を５１〜７０質量％、樹脂成分を４９〜３０質量％で混合したものが好ましい。紙成分が５１質量％よりも少ないと、紙として廃棄できない。熱可塑性樹脂成分が３０質量％よりも少ないと、紙樹脂の強度が不足する。樹脂成分としては、ポリエチレン、ポリプロピレン、ポリスチレン；ポリ乳酸などの生分解性樹脂などが挙げられる。
【００４４】
熱可塑性樹脂としては、シャルピー衝撃強さが６．０ＫＪ／ｍ２以上、又は引長破壊呼び歪が２００％以上のものを用いることが好ましく使用できる。本発明のロール支持部材に使用できる熱可塑性樹脂としては、ポリプロピレン、高密度ポリエチレン、低密度ポリエチレン、直鎖状低密度ポリエチレンが挙げられる。これら熱可塑性樹脂の市販品の代表例を以下に示す。
【００４５】
（１）ポリプロピレン
日本ポリケム（株）製、ＢＣ８、ＢＣ４Ｌ、ＢＣ４ＬＡ
出光石油化学（株）製、Ｊ４６６ＨＰ、Ｊ７６２ＨＰ、Ｊ２０２１ＧＲ、Ｊ３０２１ＧＲ、
（２）高密度ポリエチレン
日本ポリケム（株）製、ＨＪ４９０、ＨＪ５８０、ＨＪ５６０、ＨＪ３６０
（３）低密度ポリエチレン
日本ポリケム（株）製、ＬＥ５２０Ｈ、ＬＦ６６０Ｈ、ＬＦ５４２Ｍ、ＬＣ５２２、ＬＣ５００、ＬＣ６２１、ＬＪ８００
（４）直鎖状低密度ポリエチレン
日本ポリケム（株）製、ＵＪ９６０、ＵＪ３７０、ＵＪ５８０、ＵＪ４８０、ＵＪ９９０、ＵＪ７９０
【００４６】
外箱に使用する紙材料は特に限定は無いが、取り扱い、作り易さ、強度から段ボールが好ましい。段ボールとしては最新紙加工便覧（株式会社テックタイムス）に記載されている如き一般的なＡフルート〜Ｅフルートの両面段ボール、複両面段ボールが好ましく使用されるが特に限定は無い。ロール状感光材料の大きさに従い適宜選択することができる。
【００４７】
遮光性シート、遮光性フランジ等の遮光防湿材料としては、写真性能に悪影響を与えず遮光防湿機能を有していれば特に限定は無く、例えば特開平６−９５３０２号、同８−１７９４７３号に記載されている遮光防湿材料を使用することができる。
【００４８】
【実施例】
以下に実施例を挙げるが、本発明はこれに限定されるものではない。
表１に示すロール支持部材を、紙樹脂を用いて作製した。実施例１は、図２〜６によって示されるロール支持部材である。
紙樹脂は写真用印画紙６８質量％、ポリプロピレン樹脂と添加剤との合計３２質量％の割合で混合したものを用いた。ポリプロピレンは、日本ポリケム（株）製、ＢＣ４Ｌを用いた。
【００４９】
【表１】
2004210304.tif 000003
【００５０】
作製したロール支持部材を用いて、図１に示すように記録材料を包装した。この包装体をＪＩＳ  Ｚ  ０２０２に従い落下テストに供し、ロール支持部材の強度を確認した。
（落下テストの方法と結果）
記録材料包装体を高さ４００ｍｍの場所から落下させた後ロール支持部材の破損状況を検査した。結果を表２に示す。
実施例１の記録材料包装体は、比較例１〜４の記録材料包装体よりも落下衝撃に強く、紙樹脂製のロール支持部材でも十分な強度が得られた。
【００５１】
【表２】
2004210304.tif 000004
×：ロール支持部材が破損
△：ロール支持部材が変形したが、使用することが可能
○：ロール支持部材の破損及び変形なし
【００５２】
実施例１と同様に、図７〜１３によって示されるロール支持部材を作成した。これを用いた記録材料包装体を落下テストに供したところ、実施例１と同様に落下衝撃に強く、紙樹脂製のロール支持部材でも十分な強度が得られることがわかった。
【００５３】
【発明の効果】
本発明によれば、肉薄で、強度の弱い材料で作製した場合でも落下衝撃に強いロール支持部材を、安価に得ることができる。また、品種判別等の自動化に対応したロール支持部材を得ることができる。
【図面の簡単な説明】
【図１】本発明の一実施態様としてのロール支持部材を両端に装着したロール状記録材料を外箱に収納する際の各部材の概略斜視図を示す。
【図２】本発明の一実施態様としてのフランジ部の平坦面とは反対の面を示す概略斜視図である。
【図３】本発明の一実施態様としてのロール支持部材の概略斜視図を示す。
【図４】本発明の一実施態様としてのフランジ部の平坦面６ａを示す概略斜視図である。
【図５】図２のＡ−Ａ’に沿った概略断面の斜視図である。
【図６】図２のＡ−Ａ’に沿った概略断面図である。
【図７】本発明の一実施態様としてのフランジ部の平坦面とは反対の面を示す概略斜視図である。
【図８】本発明の一実施態様としてのロール支持部材の概略斜視図を示す。
【図９】本発明の一実施態様としてのフランジ部の平坦面とは反対の面を示す概略図である。
【図１０】本発明の一実施態様としてのフランジ部の平坦面６ａを示す概略斜視図である。
【図１１】図７のＢ−Ｂ’に沿った概略断面の斜視図である。
【図１２】図７のＢ−Ｂ’に沿った概略断面図である。
【図１３】本発明の一実施態様としてのロール支持部材を重ね合わせた際の概略斜視図である。
【符号の説明】
１              ロール状記録材料
２              巻芯
３              ロール支持部材
４              嵌入部
４ａ            嵌入部の外周面
４ｂ            嵌入部の先端部の周縁部
４ｃ            嵌入部の先端部
４ｄ            嵌入部の内部
５              フランジ部
５ａ            外周面
６              板
６ａ            平坦面
６ｂ            反対面
７              外箱
８、９、１０    リブ
１１            円筒状リブ
１２、１３      リブ
１４            遮光性シート
１５            遮光性フランジ
１６            同心筒状リブ
１７            放射状リブ
１８            円形面
１９            窪み
２０            リブ
２１            切欠き
２３            第１のエネルギー吸収空間部
２４            第２のエネルギー吸収空間部
２５            第３のエネルギー吸収空間部
２６、２７      エネルギー吸収空間部
３４            嵌入部
３４ｅ          壁
３４ｆ          切り欠き
３５            フランジ部
３６            板
３６ａ          平坦面
３６ｂ          反対面
３６ｃ          穴
３８            偏心リブ
４６            同心筒状リブ
４７            放射状リブ
Ｈ１              リブ高さ
Ｈ２              外周面高さ
Ｕ              リブ８の内径
Ｖ              嵌入部４の外径
Ｗ              正方形のフランジの向かい合う２辺の距離
【図１】
2004210304.tif 000005
【図２】
2004210304.tif 000006
【図３】
2004210304.tif 000007
【図４】
2004210304.tif 000008
【図５】
2004210304.tif 000009
【図６】
2004210304.tif 000010
【図７】
2004210304.tif 000011
【図８】
2004210304.tif 000012
【図９】
2004210304.tif 000013
【図１０】
2004210304.tif 000014
【図１１】
2004210304.tif 000015
【図１２】
2004210304.tif 000016
【図１３】
2004210304.tif 000017